(57)【要約】【課題】より少ない騒音発生、より少ない不均衡およびより少ない摩耗の状態で容易に組み立ておよび分解が可能である、シャフト−ハブ接続部を提供すること。【解決手段】外歯スプライン（５）を有するセクション（４）を備えるシャフト（２）、および内歯スプライン（６）を備えるハブ（３）を用いたシャフト−ハブ接続部（１）であって、その内歯スプライン（６）を有するハブ（３）は、外歯スプライン（５）を備えるシャフト（２）のセクション（４）上に遊びを有して確実に連結される仕方で組み立てられ、外歯スプライン（５）を備えるセクション（４）におけるシャフト（２）は、外歯スプライン（５）の通常内部にリセス（７）を備え、その中に締め付け体（８）が、挿入されて、シャフト（２）とハブ（３）との間の遊びを無効にする。【選択図】図１
2017194162.tif 000002
【特許請求の範囲】
【請求項１】
外歯スプライン（５）を有するセクション（４）を備えるシャフト（２）、および内歯スプライン（６）を備えるハブ（３）を用いたシャフト−ハブ接続部（１）であって、前記内歯スプライン（６）を有する前記ハブ（３）は、前記外歯スプライン（５）を備える前記シャフト（２）の前記セクション（４）上に遊びを有して確実に連結される仕方で組み立てられるシャフト−ハブ接続部（１）において、前記外歯スプライン（５）を備える前記セクション（４）における前記シャフト（２）が、前記外歯スプライン（５）の半径方向内側にリセス（７）を備え、前記リセスの中に締め付け体（８）が挿入されて、前記シャフト（２）と前記ハブ（３）との間の前記遊びを無効にすることを特徴とする、シャフト−ハブ接続部（１）。
【請求項２】
前記リセス（７）が、円錐状またはじょうご状に輪郭をつけられ、前記シャフト（２）の軸端から前記シャフト（２）の内部に向かって次第に細くなることを特徴とする、請求項１に記載のシャフト−ハブ接続部。
【請求項３】
前記締め付け体（８）が、円錐状または円錐台状に輪郭をつけられ、前記リセス（７）の隣接する内径よりも大きい外径を少なくとも部分的に有することを特徴とする、請求項１または２に記載のシャフト−ハブ接続部。
【請求項４】
前記締め付け体（８）が、油圧接続部（１０）および油圧ライン（１１、１２）を備え、前記シャフト（２）の前記リセス（７）内での前記締め付け体（８）の組み立ておよび／または分解中に、前記油圧ライン（１１、１２）を介して前記リセス（７）を半径方向に拡張することができることを特徴とする、請求項１から３のいずれか一項に記載のシャフト−ハブ接続部。
【請求項５】
ディスク（９）が、前記リセス（７）に挿入された前記締め付け体（８）を固定することを特徴とする、請求項１から４のいずれか一項に記載のシャフト−ハブ接続部。
【請求項６】
請求項１から５のいずれか一項に記載のシャフト−ハブ接続部（１）を確立するまたは組み立てるための方法であって、
前記外歯スプライン（５）および前記リセス（７）を備えるセクション（４）を有するシャフト（２）を準備するステップと、
前記内歯スプライン（６）を有するハブ（３）を準備するステップと、
締め付け体（８）を準備するステップと、
前記外歯スプライン（５）を備える前記シャフト（２）の前記セクション（４）上に前記内歯スプライン（６）を有する前記ハブ（３）を遊びを有して確実に連結して組み立てるステップと、
前記シャフト（２）の前記リセス（７）内に前記締め付け体（８）を組み立てて、前記シャフト（２）と前記ハブ（３）との間の前記遊びを無くし、前記シャフト−ハブ接続部を形成するステップと、
を備える、方法。
【請求項７】
前記シャフト（２）の前記リセス（７）内に前記締め付け体（８）を組み立てるステップより前に、前記締め付け体（８）が、前記外歯スプライン（５）および前記リセス（７）を備える前記シャフト（２）の前記セクション（４）に対して冷却されるか、または前記外歯スプライン（５）および前記リセス（７）を備える前記シャフト（２）の前記セクション（４）が、前記締め付け体（８）に対して加熱されることを特徴とする、請求項６に記載の方法。
【請求項８】
前記シャフト（２）の前記リセス（７）内に前記締め付け体（８）を組み立てるために、前記外歯スプライン（５）および前記リセス（７）を備える前記シャフト（２）の前記セクション（４）が、油圧で、すなわち前記締め付け体（８）の前記油圧接続部（１０）および前記油圧ライン（１１、１２）によって、拡大されることを特徴とする、請求項６または７に記載の方法。
【請求項９】
請求項１から５のいずれか一項に記載のシャフト−ハブ接続部を解体するまたは分解するための方法であって、
前記シャフト（２）の前記リセス（７）から前記締め付け体（８）を分解して、前記シャフト（２）と前記ハブ（３）との間の前記遊びを回復するステップと、
前記シャフト（２）から前記ハブ（３）を分解するステップと、
を備える、方法。
【請求項１０】
前記シャフト（２）の前記リセス（７）から前記締め付け体（８）を分解するために、前記外歯スプライン（５）および前記リセス（７）を備える前記シャフト（２）の前記セクション（４）が、油圧で、すなわち前記締め付け体（８）の前記油圧接続部（１０）および前記油圧ライン（１１、１２）によって、拡大されることを特徴とする、請求項９に記載の方法。
【発明の詳細な説明】
【技術分野】
【０００１】
本発明は、シャフト−ハブ接続部に関する。本発明はさらに、そのようなシャフト−ハブ接続部を確立するまたは組み立てるための方法およびそのようなシャフト−ハブ接続部を解体するまたは分解するための方法に関する。
【背景技術】
【０００２】
シャフト−ハブ接続部は、トルク伝達のために確実に連結されて具体化されることもある。それに応じて、好ましくは遊びを有して、外歯スプラインを備えるシャフトのセクション上にその内歯スプラインを有するハブを組み立てることが、通例である。遊びを有してシャフトとハブとの間の確実な接続部を組み立てることは、組み立ておよびその後の分解を容易に可能にするために有利である。遊びを有する組み立てはしかしながら、動作中の望ましくない騒音発生、望ましくない不均衡および摩耗の増加の理由のために不都合なこともある。例えばオーバーサイズのシャフトを用いた圧入を通じての遊びのないシャフト上へのハブの組み立ては、シャフト−ハブ接続部の組み立ておよび分解をより困難にする。
【発明の概要】
【発明が解決しようとする課題】
【０００３】
従って、実施から知られているシャフト−ハブ接続部の不都合が、除去可能であり、すなわちより少ない騒音発生、より少ない不均衡およびより少ない摩耗の状態で容易に組み立ておよび分解が可能である、シャフト−ハブ接続部の必要性がある。
【課題を解決するための手段】
【０００４】
これから始めて、本発明は、新しい種類のシャフト−ハブ接続部、ならびにシャフト−ハブ接続部を確立するまたは組み立てるおよびシャフト−ハブ接続部を解体するまたは分解するための方法を生み出す目的に基づいている。
【０００５】
この目的は、請求項１に記載のシャフト−ハブ接続部を通じて解決される。本発明によると、シャフトは、外歯スプラインの半径方向内部に外歯スプラインを備えるセクション内にリセスを備え、その中にシャフトとハブとの間の遊びを無効にする締め付け体が、挿入される。
【０００６】
本発明によるシャフト−ハブ接続部を用いると、通常遊びの影響を受けて互いにかみ合うスプラインを介したハブおよびシャフトの確実に連結される接続部は、外歯スプラインを備えるシャフトの一部を拡張するのに役立つ締め付け体を通じて遊びのない状態に構成される。簡単な組み立ておよび分解を確保することと、望ましくない騒音発生、望ましくない不均衡および望ましくない摩耗とは、反対に作用することもある。
【０００７】
有利なさらなる展開によると、リセスは、シャフトの軸端から始まりシャフトの内部まで、円錐状またはじょうご状に輪郭をつけられ、次第に細くなり、締め付け体は、それに対応して円錐状または円錐台状に輪郭をつけられ、特に有利にはリセスの隣接内径よりも大きい外径を少なくとも部分的に有する。シャフトとハブとの間の遊びの影響を受けるスプラインの遊びを無効にするシャフト上へのハブの特に有利な組み立てが、それによって可能である。
【０００８】
好ましくは、締め付け体は、油圧接続部および油圧ラインを備え、それを介して、シャフトのリセス内での締め付け体の組み立ておよび／または分解中に、リセスは、半径方向に拡張可能である。油圧接続部および油圧ラインを通じて、シャフト−ハブ接続部の特に有利な組み立ておよび／または分解が、可能である。
【０００９】
好ましくは、ディスクは、リセスに挿入される締め付け体を固定する。シャフト−ハブ接続部はそれによって、意図的でない分離に対して固定できる。
【００１０】
シャフト−ハブ接続部を確立するまたは組み立てるための方法は、請求項６に規定される。
【００１１】
シャフト−ハブ接続部を解体するまたは分解するための方法は、請求項９に規定される。
【００１２】
本発明の好ましいさらなる展開は、従属項および次の説明から得られる。本発明の例示的実施形態は、これに限定されることなく図面を通じてより詳細に説明される。
【図面の簡単な説明】
【００１３】
【図１】横断面における本発明によるシャフト−ハブ接続部の図である。
【発明を実施するための形態】
【００１４】
本発明は、シャフト−ハブ接続部、そのようなシャフト−ハブ接続部を確立するまたは組み立てるための方法およびシャフト−ハブ接続部を解体するまたは分解するための方法に関する。
【００１５】
図１は、シャフト２とハブ３との間の本発明によるシャフト−ハブ接続部１からの抜粋を示す。シャフト２は、外歯スプライン５を有するセクション４を備え、ハブ３は、内歯スプライン６を備え、その内歯スプライン６を有するハブ３は、外歯スプライン５を備えるシャフト２のセクション上に遊びを有して確実に連結される仕方で組み立てられる。
【００１６】
外歯スプライン５を担持するセクション４において、シャフト２は、外歯スプライン５の半径方向内部にリセス７を備える。このリセス７内に、締め付け体８が、挿入され、すなわちシャフト２とハブ３との間の本質的に遊びの影響を受ける確実に連結される接続部間の遊びを無効にすることを条件として、それは、シャフト２およびハブ３の互いにかみ合うスプライン５、６を介して提供される。
【００１７】
この目的を達成するために、締め付け体８は、リセス７の内径よりも大きい外径を少なくとも一部に有し、その結果シャフト２のリセス７に挿入された締め付け体８は、外歯スプライン５を担持するシャフトのセクション４を拡張して、スプライン５、６間の遊びを無効にし、好ましくはシャフト２とハブ３との間に与圧を生み出す。
【００１８】
シャフト２およびハブ３上のスプライン５、６の領域内に形成される任意の心出し面もまた、締め付け体８によって遊びのない状態にすることができる。
【００１９】
図示される好ましい例示的実施形態では、シャフト２のセクション４内のリセス７は、円錐状またはじょうご状に、すなわちリセス７が、シャフト２の軸端から始めて、シャフト２の内部に向かって軸方向に次第に細くなるような仕方で輪郭をつけられる。締め付け体８は、それに対応して円錐状または円錐台状に、すなわちすでに説明されたように、締め付け体の外径が、組み立てた状態において対応する、リセス７の隣接するまたは対向する内径よりも少なくとも部分的において大きいような仕方で輪郭をつけられる。
【００２０】
シャフト２のリセス７に挿入された締め付け体８は、それがリセス７に挿入されるシャフト２内のその位置においてオプションのディスク９によって固定されてもよい。
【００２１】
締め付け体８は好ましくは、油圧接続部１０および油圧ライン１１、１２を備える。油圧接続部１０および油圧ライン１１、１２を通じて、シャフト−ハブ接続部１の組み立て中に締め付け体８をリセス７に挿入するために、またはシャフト−ハブ接続部１の分解中に締め付け体８をリセス７から取り除くために、シャフト２のリセス７内での締め付け体８の組み立ておよび／または分解中に、シャフトのリセス７は、半径方向に拡張されてもよい。
【００２２】
図示されない油圧システムが、油圧接続部１０に接続されてもよく、油圧オイルが、油圧ライン１１、１２を介して締め付け体８の外径とシャフト２のリセス７の内径との間の接触領域１３の方向に導かれてもよい。ここで、油圧ライン１１は、軸方向に延び、油圧ライン１２は、半径方向に延びる。
【００２３】
そのようなシャフト−ハブ接続部１を確立するまたは組み立てるために、外歯スプライン５を備えるセクション４およびリセス７を有するシャフト２、ならびに内歯スプライン６を有するハブ３が、提供される。さらに、シャフト２のセクション４のリセス７の隣接するまたは対向する内径よりも組み立てた状態において少なくとも部分的に大きい外径を少なくとも部分的に有する締め付け体８が、提供される。ハブ３は、好ましくはシャフト２のセクション４上でハブ３の内歯スプライン６とシャフト２の外歯スプライン５との間に遊びを有して、確実に連結される仕方でシャフト２上に組み立てられる。シャフト２のセクション４上へのハブ３のこの確実に連結され、好ましくは遊びの影響を受ける組み立てに続いて、締め付け体８は、シャフトのリセス７内に組み立てられて、シャフト２とハブ３との間の遊びを無効にし、好ましくはシャフト２とハブ３との間に与圧を生成する。
【００２４】
この目的を達成するために、締め付け体８が、シャフト２のセクション４に対して冷却されるか、かつ／または外歯スプライン５を備えるシャフト２のセクション４が、締め付け体８に対して温められもしくは加熱されてもよい。このため、シャフト２のリセス７に締め付け体８を簡単に挿入するために、シャフト２のリセス７に対する締め付け体８の相対的オーバーサイズは、熱によって無効にされ得る。温度均等化に続いて、シャフト２のセクション４を半径方向に拡張する締め付け体８とシャフト２のセクション４との間に圧入が存在し、このようにしてハブ３およびシャフト２のスプライン間の遊びを無効にする。
【００２５】
別法としてまたは追加として、外歯スプライン５およびリセス７を備えるシャフト２のセクション４は、締め付け体８の油圧接続部１０および油圧ライン１１、１２を利用して、シャフト２のリセス７内に締め付け体８を組み立てるために油圧で拡張されてもよい。
【００２６】
シャフト２のリセス７に挿入された締め付け体８はその後、それがリセス７に挿入されるシャフト２内のその位置にディスク９を介して固定されてもよい。この目的を達成するために、ディスク９は、ネジ接続部を介してシャフト２上に好ましくは組み立てられる。
【００２７】
シャフト−ハブ接続部１を分解するまたは分離するために、オプションのディスク９が、最初に取り除かれ、締め付け体８が、次いでシャフト２のリセス７から取り除かれて、シャフト２とハブ３との間の遊びを回復し、その後ハブ３が、シャフト２から分解される。締め付け体８をシャフト２のリセス７から分解するために、外歯スプライン５およびリセス７を備えるシャフト２のセクション４は、好ましくは締め付け体８の油圧接続部１０および油圧ライン１１、１２を油圧で利用して、半径方向に拡張される。
【００２８】
従って、互いにかみ合うスプライン５、６を介して遊びを有して確実に連結される仕方でシャフト２上にハブ３を最初に組み立てる、シャフト２とハブ３との間のシャフト−ハブ接続部１を生み出すことは、本発明の利益にかなっており、その後シャフト２のリセス７に挿入される締め付け体８を介して、スプライン５、６間の遊びは、好ましくはシャフト２とハブ３との間に与圧を生成することを条件として無効にされる。この目的を達成するために、締め付け体８は、好ましくは円錐台状または円錐状に輪郭をつけられ、締め付け体８を受け入れるシャフト２のリセス７は、それに対応して円錐状またはじょうご状に輪郭をつけられる。
【００２９】
シャフト２のリセス７内での締め付け体８の組み立て中に、少なくとも部分的な締め付け体８のシャフト２のリセス７に対するオーバーサイズは、締め付け体８をシャフト２のリセス７内に位置決めするために、ときには温度差動を通じてかつ／または油圧を利用することによって無効にされてもよい。
【００３０】
シャフト２のリセス７内での締め付け体８の組み立ておよび分解ならびにシャフト２のセクション４上へのハブ３の組み立ておよび分解は、いずれの場合にもシャフト２の軸方向において行われる。
【符号の説明】
【００３１】
１  シャフト−ハブ接続部
２  シャフト
３  ハブ
４  セクション
５  外歯スプライン
６  内歯スプライン
７  リセス
８  締め付け体
９  ディスク
１０  油圧接続部
１１  油圧ライン
１２  油圧ライン
１３  接触領域
【図１】
2017194162.tif 000003
【外国語明細書】
2017194162000001.pdf